(57)【要約】【課題】防塵カバーやボンネット内部のメンテナンス等の作業を実施し易いように、防塵カバーを所定の開位置に保持することができるコンバインを提供すること。【解決手段】防塵カバー１３の開側への移動により防塵カバー１３が所定の開位置に達すると、ロック金具２８がストッパー部材２６から外れロック金具２８の自重により下方に移動して、ロック金具２８の下端部２８ｂが固定用空間２７に入り込むことにより、ロック金具２８と開側阻止部２５ａとの当接によって防塵カバー１３の所定の開位置から開側への移動が阻止され、ロック金具２８の下端部２８ｂと閉側阻止部２６ａとの当接によって防塵カバー１３の所定の開位置から閉側への移動が阻止されるように構成する。【選択図】図４
2011177079.tif 000002
【特許請求の範囲】
【請求項１】
ラジエータに冷却風を取り入れるための取り入れ口を備える防塵カバーを、前記ラジエータ及びエンジンを収容するボンネットに設け、前記防塵カバーを前記ボンネットの軸心周りに揺動開閉自在に枢支してあるコンバインであって、
上下動自在なロック金具を前記防塵カバー及び前記ボンネットの一方に設け、ガイド部材とストッパー部材とを前記ガイド部材の下方に前記ストッパー部材が位置するように前記防塵カバー及び前記ボンネットの他方に設けて、
前記防塵カバーの開閉に伴って前記ロック金具が前記ガイド部材に沿って移動するように構成し、且つ、前記ガイド部材から下方に突出する前記ロック金具の下端部が前記ストッパー部材に対向するように構成して、
前記防塵カバーの所定の開位置から開側への移動を阻止可能な開側阻止部を前記ガイド部材に備え、前記防塵カバーの前記所定の開位置から閉側への移動を阻止可能な閉側阻止部を前記ストッパー部材に備え、前記開側阻止部よりも前記防塵カバーの閉側に対応する位置に前記閉側阻止部を配置して前記開側阻止部と前記閉側阻止部との間に固定用空間を形成し、
前記防塵カバーの開側への移動により前記防塵カバーが前記所定の開位置に達すると、前記ロック金具が前記ストッパー部材から外れ前記ロック金具の自重により下方に移動して、前記ロック金具の下端部が前記固定用空間に入り込むことにより、前記ロック金具と前記開側阻止部との当接によって前記防塵カバーの前記所定の開位置から開側への移動が阻止され、前記ロック金具の下端部と前記閉側阻止部との当接によって前記防塵カバーの前記所定の開位置から閉側への移動が阻止されるように構成してあるコンバイン。
【請求項２】
前記防塵カバーの開側への移動により前記ロック金具の下端部が、前記防塵カバーが前記所定の開位置に達する直前に前記ストッパー部材に当接して前記ストッパー部材により持ち上げられ且つ前記所定の開位置で前記ストッパー部材を乗り越えて前記固定用空間に入り込むように、前記ストッパー部材を前記防塵カバーの開側に対応する部分よりも前記防塵カバーの閉側に対応する部分が低位置になるように斜めに配置してある請求項１に記載のコンバイン。
【請求項３】
前記防塵カバーの開閉に伴う前記ロック金具の移動方向に沿って前記ガイド部材に長孔を開口し、前記ロック金具の下端部を前記ガイド部材の長孔に入り込ませることにより、前記防塵カバーの開閉に伴って前記ロック金具が前記ガイド部材の長孔に沿って移動するように構成して、前記ガイド部材の長孔の端部を前記開側阻止部としてある請求項１又は２に記載のコンバイン。
【請求項４】
前記防塵カバーを揺動開閉自在に支持する前記ボンネットの枢支部から、前記防塵カバーを取り外し自在、且つ、前記ロック金具を前記ガイド部材及び前記ストッパー部材から取り外し自在に構成してある請求項１〜３のいずれか１項に記載のコンバイン。
【請求項５】
機体の前部の左右一方側に運転部及びボンネットを備えて、前記ボンネットの機体横外側部分に前記防塵カバーを配置し、
前記防塵カバーが前記ボンネットの機体横外側部分に沿った閉位置及び前記防塵カバーの後端部が前記ボンネットから横外方に離れた前記所定の開位置に亘って、前記防塵カバーを前記ボンネットの機体横外側部分の縦軸心周りに揺動開閉自在に構成し、
前記ボンネットの後方にグレンタンクを備えて、前記グレンタンクが機体前後方向に沿った閉位置及び前記グレンタンクの前部が機体から横外方に離れた開位置に亘って、前記グレンタンクを前記グレンタンクの後端部の縦軸心周りに揺動操作自在に構成してある請求項１〜４のいずれか１項に記載のコンバイン。
【発明の詳細な説明】
【技術分野】
【０００１】
本発明は、ラジエータに冷却風を取り入れるための取り入れ口を備える防塵カバーを、前記ラジエータ及びエンジンを収容するボンネットに設け、前記防塵カバーを前記ボンネットの軸心周りに揺動開閉自在に枢支してあるコンバインに関するものである。
【背景技術】
【０００２】
上記コンバインでは、定期的に防塵カバーを開けて、防塵カバーの掃除や、ボンネット内部のラジエータ及びエンジン等のメンテナンスを行う必要がある。そのため、防塵カバーをボンネットの軸心周りに揺動開閉自在に枢支して、メンテナンスの際に防塵カバーを横外方に向けて開放することができるように構成されている（特許文献１参照）。
【先行技術文献】
【特許文献】
【０００３】
【特許文献１】特開２００６−１２１９３７号公報
【発明の概要】
【発明が解決しようとする課題】
【０００４】
作業者が防塵カバーを開けて上記作業を実施すると、作業時の振動等で防塵カバーが再び閉側に揺動して、作業の妨げとなる場合があった。
従って本発明の目的は、防塵カバーやボンネット内部のメンテナンス等の作業を実施し易いように、防塵カバーを所定の開位置に保持することができる構造を簡素に構成することにある。
【課題を解決するための手段】
【０００５】
本発明に係る第１特徴構成は、ラジエータに冷却風を取り入れるための取り入れ口を備える防塵カバーを、前記ラジエータ及びエンジンを収容するボンネットに設け、前記防塵カバーを前記ボンネットの軸心周りに揺動開閉自在に枢支してあるコンバインであって、上下動自在なロック金具を前記防塵カバー及び前記ボンネットの一方に設け、ガイド部材とストッパー部材とを前記ガイド部材の下方に前記ストッパー部材が位置するように前記防塵カバー及び前記ボンネットの他方に設けて、前記防塵カバーの開閉に伴って前記ロック金具が前記ガイド部材に沿って移動するように構成し、且つ、前記ガイド部材から下方に突出する前記ロック金具の下端部が前記ストッパー部材に対向するように構成して、前記防塵カバーの所定の開位置から開側への移動を阻止可能な開側阻止部を前記ガイド部材に備え、前記防塵カバーの前記所定の開位置から閉側への移動を阻止可能な閉側阻止部を前記ストッパー部材に備え、前記開側阻止部よりも前記防塵カバーの閉側に対応する位置に前記閉側阻止部を配置して前記開側阻止部と前記閉側阻止部との間に固定用空間を形成し、前記防塵カバーの開側への移動により前記防塵カバーが前記所定の開位置に達すると、前記ロック金具が前記ストッパー部材から外れ前記ロック金具の自重により下方に移動して、前記ロック金具の下端部が前記固定用空間に入り込むことにより、前記ロック金具と前記開側阻止部との当接によって前記防塵カバーの前記所定の開位置から開側への移動が阻止され、前記ロック金具の下端部と前記閉側阻止部との当接によって前記防塵カバーの前記所定の開位置から閉側への移動が阻止されるように構成してある点にある。
【０００６】
〔作用及び効果〕
本構成によれば、防塵カバーを開けて所定の開位置まで移動させると、ロック金具の下端部が固定用空間に入り込むことにより、ロック金具と開側阻止部との当接によって防塵カバーの所定の開位置からさらに開側への移動が阻止されると共に、ロック金具の下端部と閉側阻止部との当接によって防塵カバーの所定の開位置から閉側への移動が阻止される。
そのため、作業者が防塵カバーを開けてメンテナンス等の作業を実施しても、作業時の振動等により防塵カバーが再び閉側に揺動することはなく、作業を妨げることがない。さらに、作業者が防塵カバーを開ける際に必要以上の力で開けようとした場合でも、防塵カバーは所定の開位置までしか移動しないので、防塵カバーが所定の開位置を越えて開側に移動し、ボンネット等に当たって防塵カバーやボンネットが損傷してしまうこともない。
また、ロック金具の下端部を下方に突出させた状態にして、自重で固定用空間に入り込ませるように構成されているため、防塵カバーが所定の開位置まで移動したときに、ロック金具の本体部分よりも先行してロック金具の下端部が固定用空間に入り込むような状態となり、ロック金具の下端部が固定用空間に入り易く確実にロックされると共に、ロック金具を固定用空間に入り込ませる際にバネ等の付勢部材を使用する必要がないので、簡素な構造となる。
【０００７】
本発明に係る第２特徴構成は、前記防塵カバーの開側への移動により前記ロック金具の下端部が、前記防塵カバーが前記所定の開位置に達する直前に前記ストッパー部材に当接して前記ストッパー部材により持ち上げられ且つ前記所定の開位置で前記ストッパー部材を乗り越えて前記固定用空間に入り込むように、前記ストッパー部材を前記防塵カバーの開側に対応する部分よりも前記防塵カバーの閉側に対応する部分が低位置になるように斜めに配置してある点にある。
【０００８】
〔作用及び効果〕
本構成によれば、防塵カバーを開けて所定の開位置まで移動させる際に、ロック金具とストッパー部材とが常に当接した状態にはなく、防塵カバーが所定の開位置に達する直前だけロック金具とストッパー部材とが当接するように構成される。そのため、常時当接している場合と比べて、ロック金具及びストッパー部材が互いに磨耗し難く、尚且つ、開側への操作抵抗も小さい。
【０００９】
本発明に係る第３特徴構成は、前記防塵カバーの開閉に伴う前記ロック金具の移動方向に沿って前記ガイド部材に長孔を開口し、前記ロック金具の下端部を前記ガイド部材の長孔に入り込ませることにより、前記防塵カバーの開閉に伴って前記ロック金具が前記ガイド部材の長孔に沿って移動するように構成して、前記ガイド部材の長孔の端部を前記開側阻止部としてある点にある。
【００１０】
〔作用及び効果〕
本構成によれば、ガイド部材に開口した長孔がロック金具をガイドするガイド機能と、防塵カバーの所定の開位置から開側への移動を阻止する開側阻止部の機能とを兼ね備えるため、全体の構造の簡素化が図れる。
【００１１】
本発明に係る第４特徴構成は、前記防塵カバーを揺動開閉自在に支持する前記ボンネットの枢支部から、前記防塵カバーを取り外し自在、且つ、前記ロック金具を前記ガイド部材及び前記ストッパー部材から取り外し自在に構成してある点にある。
【００１２】
〔作用及び効果〕
本構成によれば、防塵カバーを取り外すことによって、メンテナンスの作業空間をより広くすることができる。
【００１３】
本発明に係る第５特徴構成は、機体の前部の左右一方側に運転部及びボンネットを備えて、前記ボンネットの機体横外側部分に前記防塵カバーを配置し、前記防塵カバーが前記ボンネットの機体横外側部分に沿った閉位置及び前記防塵カバーの後端部が前記ボンネットから横外方に離れた前記所定の開位置に亘って、前記防塵カバーを前記ボンネットの機体横外側部分の縦軸心周りに揺動開閉自在に構成し、前記ボンネットの後方にグレンタンクを備えて、前記グレンタンクが機体前後方向に沿った閉位置及び前記グレンタンクの前部が機体から横外方に離れた開位置に亘って、前記グレンタンクを前記グレンタンクの後端部の縦軸心周りに揺動操作自在に構成してある点にある。
【００１４】
〔作用及び効果〕
本構成によれば、防塵カバーとグレンタンクとが観音開き構造となる。これにより、例えば、防塵カバーを開けてボンネット内部のラジエータ及びエンジン等のメンテナンスを実施する際、グレンタンクを開位置に移動させれば、ボンネットの後方にスペースが生じるため、上記メンテナンス作業をより実施し易くなる。
【図面の簡単な説明】
【００１５】
【図１】普通型コンバインの全体右側面図である。
【図２】普通型コンバインの全体平面図である。
【図３】防塵カバーと運転席とボンネットの正面図である。
【図４】防塵カバーが閉位置にあるときのロック機構の正面図である。
【図５】防塵カバーが閉位置にあるときのロック機構の右側面図である。
【図６】防塵カバーが閉位置にあるときのロック機構の平面図である。
【図７】防塵カバーが所定の開位置にあるときのロック機構の正面図である。
【図８】防塵カバーが所定の開位置にあるときのロック機構の平面図である。
【発明を実施するための形態】
【００１６】
〔実施形態〕
以下に、本発明の実施形態を図１〜図８に基づいて説明する。
（コンバインの全体構成）
図１及び図２に示すように、コンバインは、機体１の下方に走行用のクローラ走行装置２を備え、機体１の前側に穀稈を刈取集送する刈取装置３を支架し、機体１の左後部に刈取穀稈の搬送を受けて脱穀選別する脱穀装置４を搭載する。刈取装置３の右後部には、ラジエータ１２やエンジン（図示せず）を収容するボンネット１０が設けられており、ボンネット１０の前半部上面に運転席５（運転部）が装着され、ボンネット１０の後半部上方にエアクリーナ６を収容する上部ダクト７が連設される。
【００１７】
ボンネット１０及び上部ダクト７の後方にグレンタンク８が搭載されており、脱穀装置４で脱穀選別された穀粒は、図示しない揚穀機によって右側のグレンタンク８に搬送収容される。グレンタンク８の後端部に、グレンタンク８の穀粒排出用のオーガ９が備えられている。
【００１８】
図３に示すように、ボンネット１０の右側（ボンネット１０の機体横外側部分）には、ボンネット１０の右側面から運転席５の右側に亘る縦長中空の箱形状を有する防塵カバー１３が設置される。防塵カバー１３にはメッシュ部材で構成される空気取り入れ口１３ａが設けられており、空気取り入れ口１３ａから取り込まれた空気は、冷却風としてラジエータ１２に供給されると共に、エアクリーナ６によって清浄化されてエンジンに供給される。防塵カバー１３は、ループ状の枠状フレーム１３ｂと、この枠状フレーム１３ｂの上下中間部に設けられた側面視で前方下方向きの中間フレーム１３ｃとを備えて構成されている。
【００１９】
防塵カバー１３は、ボンネット１０の前面の右下端部及び右上部のそれぞれに配置したクランク形状の２つの支軸１５，３１（ボンネットの枢支部、ボンネットの機体横外側部分の縦軸心）に枢支されており、機体の右横外側部分に沿った閉位置、及び防塵カバー１３の後端部がボンネット１０から右外方に離れた所定の開位置に亘って揺動開閉自在に取り付けられている。
【００２０】
詳細には、図３に示すように、防塵カバー１３の前面の下端部及び中間部のそれぞれに第１ベース部材１８及び第２ベース部材３３を設けて、第１及び第２ベース部材１８，３３のそれぞれの左端に上下方向に亘る円筒状部１９，３４を設ける。そして、支軸１５，３１の上部分のそれぞれを、防塵カバー１３の円筒状部１９，３４の中に挿通させる。このとき、円筒状部１９，３４のそれぞれが、支軸１５，３１のそれぞれのフランジ部１６，３２の上に設置される状態となって、防塵カバー１３が支軸１５、３１の軸心Ｌ１周りに揺動開閉自在に枢支される。
【００２１】
防塵カバー１３の左側面及び背面のそれぞれに設けた被係合部材４１，４２と、ボンネット１０の上面及び背面のそれぞれに設けた係合部材４３，４４とがバックル構造を形成しており、これらが互いに係合することによって、防塵カバー１３が閉位置に固定される。
【００２２】
図１及び図２に示すように、グレンタンク８は、その後端部の回転軸１７（グレンタンクの後端部の縦軸心）の周りに横外方へ回動可能に支持される。つまり、本実施形態におけるグレンタンク８は、機体１の前後方向に沿った閉位置及びグレンタンク８の前部が機体１から横外方に離れた開位置に亘って、その後端部の回転軸１７周りに揺動操作自在に取り付けられている。
【００２３】
不使用時におけるオーガ９は、グレンタンク８の後部から機体の前部左側部に向かって、平面視で対角状に配設されるように受け台５０に固定されている。
作業者は、防塵カバー１３の前面上部に設けたオーガ操作パネル５１の昇降スイッチ５２及び旋回スイッチ５３を操作することによって、オーガ９を昇降させたり、あるいは回転軸１７周りに旋回させることができる。
【００２４】
（防塵カバーのロック機構）
図３、図４、図６に示すように、本発明のコンバインは、防塵カバー１３の所定の開位置から閉側への移動を阻止するロック機構Ｒを備える。
【００２５】
ロック機構Ｒは、防塵カバー１３の前面の下端部に設けられる第１ベース部材１８、ボンネット１０の前面の右下端部に設けられる第３ベース部材２３、及び第１ベース部材１８から第３ベース部材２３に亘って取り付けられるロック金具２８を備えて構成される。
【００２６】
第１ベース部材１８の右側上端が折り曲げられて支持板２０が設けられており、支持板２０には、上下方向に貫通する第１貫通孔２１が開口されている。
【００２７】
第３ベース部材２３は、ボンネット１０の前面の右下端部であって、且つ支軸１５のボンネット１０に対する固定位置よりも左上方に設けられている。第３ベース部材２３の上端が折り曲げられて横方向に亘るガイド板２４（ガイド部材）が設けられており、さらに第３ベース部材２３の正面視で中央付近には、左から右に向かって斜め下に傾斜するストッパー板２６（ストッパー部材）が溶接により固定されている。ガイド板２４には、上下方向に貫通する横方向に長い長孔２５が開口されており、ストッパー板２６は長孔２５の下方に配置される。
【００２８】
ガイド板２４の長孔２５の左端部を、防塵カバー１３の所定の開位置から開側への移動を阻止可能な開側阻止部２５ａとし、ストッパー板２６の左端部を、防塵カバー１３の所定の開位置から閉側への移動を阻止可能な閉側阻止部２６ａとして、長孔２５の開側阻止部２５ａの右側にストッパー板２６の閉側阻止部２６ａを配置して、長孔２５の開側阻止部２５ａとストッパー板２６の閉側阻止部２６ａとの間に固定用空間２７を形成する。
【００２９】
図４に示すように、防塵カバー１３は、第１ベース部材１８にコの字状のロック金具２８を備える。ロック金具２８は、右及び左の円柱部２８ａ，２８ｂと、右及び左の円柱部２８ａ，２８ｂをつなぐ連結部２８ｃとからなる。
【００３０】
ロック金具２８の右円柱部２８ａは、第１ベース部材１８の支持板２０の第１貫通孔２１に入り込んでおり、右円柱部２８ａの外周に固定された右ワッシャ２９ａが、第１貫通孔２１の周縁の支持板２０上面と当接することによって、ロック金具２８が第１ベース部材１８の支持板２０に支持される。尚、支持板２０の第１貫通孔２１の内径は右円柱部２８ａの外径よりも少し大径に設定されている。また、右円柱部２８ａの下端外周に第１貫通孔２１の内径よりも大径の凸部３０ａを設けることによって、右円柱部２８ａの支持板２０からの抜け止めがなされる。
【００３１】
ロック金具２８の左円柱部２８ｂは、第３ベース部材２３のガイド板２４の長孔２５に入り込んでおり、左円柱部２８ｂの外周に設けた左ワッシャ２９ｂが長孔２５の周縁のガイド板２４の上面と当接することによって、左円柱部２８ｂの下端がストッパー板２６に対向しており、左円柱部２８ｂがガイド板２４の長孔２５から所定の長さで下方に突出する。尚、左円柱部２８ｂの下端外周に抜け止めピン３５を介してワッシャ３０ｂを設けることによって、左円柱部２８ｂのガイド板２４からの抜け止めがなされる。
【００３２】
尚、ワッシャ３０ｂは、抜け止めピン３５を外すことで、左円柱部２８ｂから取り外すことができるように構成されている。従って、ワッシャ３０ｂを外せば、ロック金具２８の左円柱部２８ｂを第３ベース部材２３のガイド板２４から取り外すことができる。
【００３３】
また、防塵カバー１３は、その本体を上方に持ち上げることによって、防塵カバー１３の円筒状部１９，３４のそれぞれを支軸１５，３１から外せるように構成されている。そのため、ロック金具２８の左円柱部２８ｂのワッシャ３０ｂを外せば、支軸１５，３１のそれぞれが円筒状部１９，３４に差し込まれているだけなので、防塵カバー１３をボンネット１０の支軸１５，３１から自在に取り外すことができる。
【００３４】
左円柱部２８ｂのワッシャ３０ｂと、ガイド板２４の下面との間の間隔Ｔ１は、右円柱部２８ａの凸部３０ａと支持板２０の下面との間の間隔Ｔ２と略同じ大きさに設定されている。そのため、ロック金具２８は、距離Ｔ１（≒距離Ｔ２）だけ上下に移動することができる。
【００３５】
尚、第１ベース部材１８の支持板２０の上面の高さと、第３ベース部材２３のガイド板２４の上面の高さは略同じ位置に設定されており、ロック金具２８の右及び左のワッシャ２９ａ，２９ｂのそれぞれが支持板２０の上面及びガイド板２４の上面と当接している場合、ロック金具２８の連結部２８ｃは略水平に保持される。
【００３６】
図４及び図６に示すように、防塵カバー１３が閉位置にある場合、ロック金具２８の左円柱部２８ｂはガイド板２４の長孔２５の右端側（図４の紙面左側）に位置しており、図４に示すようにロック金具２８の左円柱部２８ｂとストッパー板２６とが離間している。
防塵カバー１３の被係合部材４１，４２とボンネット１０の係合部材４３，４４との係合を解除して、防塵カバー１３を開けるため開側に揺動させると防塵カバー１３の移動に伴って、図７及び図８に示すように、ロック金具２８の左円柱部２８ｂが、ガイド板２４の長孔２５に沿って左側（図７の紙面右側）に移動する。
【００３７】
このとき、図７の破線部分に示すように、防塵カバー１３が所定の開位置に達する直前に、ロック金具２８の左円柱部２８ｂの下端部が、ストッパー板２６の左端部分と当接してストッパー板２６によって持ち上げられる。
そして、図７の実線部分に示すように、防塵カバー１３が所定の開位置に達すると、ロック金具２８の左円柱部２８ｂが、ストッパー板２６を乗り越えて、その自重により下方に移動して固定用空間２７に入り込む。
【００３８】
この状態において、ロック金具２８の左円柱部２８ｂと長孔２５の開側阻止部２５ａとの当接によって防塵カバー１３の所定の開位置から開側への移動が阻止されると共に、ロック金具２８の左円柱部２８ｂとストッパー板２６の閉側阻止部２６ａとの当接によって防塵カバー１３の所定の開位置から閉側への移動が阻止される。
【００３９】
図示しないが、防塵カバー１３を再び閉位置に戻す際は、ロック金具２８の左円柱部２８ｂがストッパー板２６の閉側阻止部２６ａに当接しないように、作業者がその手でロック金具２８を上方に持ち上げながら防塵カバー１３を閉側に揺動させる。すると、防塵カバー１３の移動に伴ってロック金具２８の左円柱部２８ｂがガイド部材の長孔２５に沿って右側に移動して、防塵カバー１３が閉位置に達した際、図４及び図６に示すように、ロック金具２８の左円柱部２８ｂはガイド板２４の長孔２５の右端側に位置する。尚、作業者は、ロック金具２８の左円柱部２８ｂがストッパー板２６の閉側阻止部２６ａを越えた時点でロック金具２８から手を離して良い。
【００４０】
〔別実施形態〕
（１）前述の実施形態において、ロック金具２８をボンネット１０に設け、ガイド板２４とストッパー板２６を防塵カバー１３に設ける構成としても良い。
（２）前述の実施形態において、ストッパー板２６を水平に配置しても良い。この構成においては、防塵カバー１３が閉位置にあるとき、ロック金具２８の左円柱部２８ｂの下端部はストッパー板２６と接しており、防塵カバー１３を開けるため開側に揺動させると、ロック金具２８の左円柱部２８ｂの下端部がストッパー板２６上を摺接しながら移動して、防塵カバー１３が所定の開位置に達すると、ロック金具２８の左円柱部２８ｂがストッパー板２６の左端から落ちて、固定用空間２７に入り込む。
【産業上の利用可能性】
【００４１】
本発明は、普通型コンバインだけでなく自脱型コンバインにも適用可能であり、グレンタンクではなく袋詰め用の穀粒回収ホッパーを備えるコンバインにも適用可能である。
【符号の説明】
【００４２】
１      機体
５      運転席（運転部）
８      グレンタンク
１０    ボンネット
１２    ラジエータ
１３    防塵カバー
１３ａ  取り入れ口
１５    支軸（枢支部）
１７    回転軸（縦軸心）
２４    ガイド板（ガイド部材）
２５    長孔
２５ａ  開側阻止部
２６    ストッパー板（ストッパー部材）
２６ａ  閉側阻止部
２７    固定用空間
２８    ロック金具
２８ｂ  左円柱部（下端部）
３１    支軸（枢支部）
Ｌ１    軸心（縦軸心）
【図１】
2011177079.tif 000003
【図２】
2011177079.tif 000004
【図３】
2011177079.tif 000005
【図４】
2011177079.tif 000006
【図５】
2011177079.tif 000007
【図６】
2011177079.tif 000008
【図７】
2011177079.tif 000009
【図８】
2011177079.tif 000010